(57)【要約】【課題】デジタルデータを通常より速い速度で再生する場合であっても、文字データに施されている修飾をユーザが認識可能なように再生することを可能にするデジタルデータ再生装置を提供する。【解決手段】文字データに含まれる文字数及び文字の修飾形態から、当該文字データを表示したときにユーザがこれを認識するのに必要とする表示期間を算出し、デジタルデータ再生装置における現在の再生速度に照らし合わせて当該文字データを当該表示期間以上にわたって表示できるかどうかを判定し、その結果に応じて文字データの表示及び修飾表示の形態を切り替えることにより、再生状況に応じた適切な文字データ表示を行う。【選択図】  図１
2004289277.tif 000002
【特許請求の範囲】
【請求項１】
デジタルデータに含まれる文字データの表示制御装置であって、
前記文字データの文字数を取得する文字データ抽出部と、
前記文字データに設定された表示期間を取得する文字データ管理情報抽出部と、
前記文字データを表示するのに必要な表示期間を算出するための判定条件を記憶する判定条件テーブルと、
前記デジタルデータの再生速度を取得する手段と、
前記文字数と前記判定条件とから算出される前記文字データの必要表示期間、前記設定表示期間、及び前記再生速度に基づいて、前記文字データを表示する形態を判定する文字データ表示判定部と、
前記文字データを前記判定された表示形態により表示するよう編成する文字データ編成部と、を備えた表示制御装置を有するデジタルデータ再生装置。
【請求項２】
前記文字データ表示判定部は、前記設定表示期間と前記再生速度とから算出される前記文字データの実際の表示期間が、前記必要表示期間に満たない場合には、前記文字データを表示しないよう判定することを特徴とする請求項１に記載のデジタルデータ再生装置。
【請求項３】
前記文字データ表示判定部は、前記設定表示期間と前記再生速度とから算出される前記文字データの実際の表示期間が、前記必要表示期間に満たない場合には、前記文字データを並列表示するよう判定することを特徴とする請求項１に記載のデジタルデータ再生装置。
【請求項４】
前記判定条件は、文字データの表示期間と文字数との比であって、表示された文字データをユーザが認識するのに最低限必要となる値であることを特徴とする請求項１から３のいずれか１項に記載のデジタルデータ再生装置。
【請求項５】
前記文字データ抽出部は、さらに、前記文字データの修飾形態を抽出し、
前記判定条件テーブルは、さらに、前記文字データを前記修飾形態により表示するのに必要な表示期間を算出するための修飾表示判定条件を記憶しており、
前記文字データ表示判定部は、前記文字数と前記修飾表示判定条件とから算出される前記文字データの必要表示期間、前記設定表示期間、及び前記再生速度に基づいて、前記文字データを表示する形態を判定することを特徴とする請求項１に記載のデジタルデータ再生装置。
【請求項６】
前記文字データ表示判定部は、前記設定表示期間と前記再生速度とから算出される前記文字データの実際の表示期間が、前記必要表示期間に満たない場合には、前記文字データを修飾表示しないよう判定することを特徴とする請求項５に記載のデジタルデータ再生装置。
【請求項７】
前記文字データ表示判定部は、前記設定表示期間と前記再生速度とから算出される前記文字データの実際の表示期間が、前記必要表示期間に満たない場合には、前記文字データを簡易修飾表示するよう判定することを特徴とする請求項５に記載のデジタルデータ再生装置。
【請求項８】
前記修飾表示判定条件は、文字データの文字数と表示期間との比であって、表示された文字データをユーザが認識するのに最低限必要となる値であることを特徴とする請求項５から７のいずれか１項に記載のデジタルデータ再生装置。
【請求項９】
前記表示制御装置は、前記文字データの表示を１サンプルごとに制御することを特徴とする請求項１から８のいずれか１項に記載のデジタルデータ再生装置。
【請求項１０】
前記判定条件テーブルは、前記デジタルデータ再生装置において用いられる複数の表示装置のそれぞれについての判定条件又は修飾判定条件を記憶していることを特徴とする請求項１から９のいずれか１項に記載のデジタルデータ再生装置。
【請求項１１】
ユーザの操作を受け付けるユーザ操作入力部をさらに有しており、
ユーザは、前記ユーザ操作入力部により、前記判定条件テーブルに記憶されている判定条件又は修飾判定条件を設定することが可能であることを特徴とする請求項１から１０のいずれか１項に記載のデジタルデータ再生装置。
【請求項１２】
ユーザは、前記ユーザ操作入力部により、前記文字データ表示判定部による前記文字データの表示形態の判定を操作することが可能であることを特徴とする請求項１１に記載のデジタルデータ再生装置。
【請求項１３】
デジタルデータを記憶する記憶部をさらに有していることを特徴とする請求項１から１２のいずれか１項に記載のデジタルデータ再生装置。
【請求項１４】
デジタルデータを記録した記録媒体を読み取る記録媒体読み取り部をさらに有していることを特徴とする請求項１から１２のいずれか１項に記載のデジタルデータ再生装置。
【請求項１５】
デジタルデータを含んだデジタル放送を受信する手段をさらに有していることを特徴とする請求項１から１２のいずれか１項に記載のデジタルデータ再生装置。
【請求項１６】
前記文字データの表示制御装置から文字データ信号を受信し、該文字データ信号を映像信号に同期させる映像信号処理部をさらに有していることを特徴とする請求項１から１５のいずれか１項に記載のデジタルデータ再生装置。
【請求項１７】
デジタルデータに含まれる文字データの表示制御装置であって、
前記文字データの文字数及び修飾形態を取得する文字データ抽出部と、
前記文字データに設定された表示期間を取得する文字データ管理情報抽出部と、表示された文字データをユーザが認識可能かどうか判定するための判定条件、及び前記修飾形態により修飾表示された文字データをユーザが認識可能かどうか判定するための修飾表示判定条件を記憶する判定条件テーブルと、
前記デジタルデータの再生速度を取得する手段と、
前記設定表示期間と前記再生速度とから前記文字データの実際の表示期間を算出する表示期間計算部と、
前記文字数と前記判定条件とから前記文字データの必要表示期間を算出する文字数判定部と、
前記文字数と前記修飾表示判定条件とから前記文字データを前記修飾形態により表示する場合の必要修飾表示期間を算出する文字修飾判定部と、
前記実際の表示期間、前記必要表示期間及び前記必要修飾表示期間に基づいて、前記文字データを表示する形態を判定する文字データ表示判定部と、
前記文字データを前記判定された表示形態により表示するよう編成する文字データ編成部と、を備えた表示制御装置を有するデジタルデータ再生装置。
【請求項１８】
前記文字データ表示判定部は、前記実際の表示期間が前記必要修飾表示期間よりも短い場合には、前記文字データを修飾表示しないよう判定し、前記実際の表示期間が前記必要表示期間よりも短い場合には、前記文字データを表示しないよう判定することを特徴とする請求項１７に記載のデジタルデータ再生装置。
【請求項１９】
前記文字データ表示判定部は、前記実際の表示期間が前記必要修飾表示期間よりも短い場合には、前記文字データを簡易修飾表示するよう判定し、前記実際の表示期間が前記必要表示期間よりも短い場合には、前記文字データを並列表示するよう判定することを特徴とする請求項１７に記載のデジタルデータ再生装置。
【請求項２０】
デジタルデータに含まれる文字データの表示を制御するプログラムであって、
前記文字データの文字数及び修飾形態を取得するステップと、
前記文字データに設定された表示期間を取得するステップと、
表示された文字データをユーザが認識可能かどうか判定するための判定条件、及び前記修飾形態により修飾表示された文字データをユーザが認識可能かどうか判定するための修飾表示判定条件を記憶装置から取得するステップと、
前記デジタルデータの再生速度を取得するステップと、
前記設定表示期間と前記再生速度とから前記文字データの実際の表示期間を算出するステップと、
前記文字数と前記判定条件とから前記文字データの必要表示期間を算出するステップと、
前記文字数と前記修飾表示判定条件とから前記文字データを前記修飾形態により表示する場合の必要修飾表示期間を算出するステップと、
前記実際の表示期間、前記必要表示期間及び前記必要修飾表示期間に基づいて、前記文字データを表示する形態を判定するステップと、
前記文字データを前記判定された表示形態により表示するよう編成するステップと、を含んでなるプログラム。
【発明の詳細な説明】
【０００１】
【発明の属する技術分野】
本発明は、映像、音声及び文字を含んだデジタルデータを多重化して再生するデジタルデータ再生装置に関し、特に、字幕などの文字データを映像及び音声と同期させて表示しながら任意の再生速度で再生することができるデジタルデータ再生装置に関するものである。
【０００２】
【従来の技術】
デジタル放送などを受信して、あるいはＤＶＤなどの記録媒体から読み取って再生するデジタルデータには、通常、映像、音声及び文字データが含まれており、再生装置ではこれらを同期させて再生することにより、一体のコンテンツとして表示している。
【０００３】
文字データは、映像及び音声からなるコンテンツの付加的情報として、字幕などの形式により表示されるのが一般的である。また、デジタルデータでは、この文字データに任意の修飾を施して表示することが可能である。文字データの修飾には、表示される文字の一部又は全部のサイズ、色、フォント、書体等を変更することが含まれるものとする。また、文字データの表示形態としては、画面上で文字を移動させたり一方向にスクロールさせたりすることが可能である。
【０００４】
アナログデータと異なり、デジタルデータは、映像信号、音声信号、文字データ信号のそれぞれが独立している。このため、デジタルデータ再生装置は、これらそれぞれの表示を任意の方法で制御することができる。
【０００５】
例えば、早送り再生、巻き戻し再生を行う場合には、映像信号、音声信号、文字データ信号それぞれに対して再生速度に応じた所定の処理を加えて、ユーザが見やすいような表示を行っている。
【０００６】
特許文献１に記載の映像記録再生装置では、字幕を含んだコンテンツを早送り再生、巻き戻し再生する場合に、再生速度に応じた字幕表示を行う方法が開示されている。通常より速い速度で再生を行う場合には、字幕の表示時間が短くなってしまい、ユーザが字幕を見逃してしまうことがある。これを避けるために、特許文献１に記載の映像記録再生装置では、例えば、４倍速再生時には４シーン分の字幕を複数行に並列して同時に表示したり、４シーン分の字幕を複数行に並列してスクロール表示したりすることを特徴としている。
【０００７】
【特許文献１】
特開２００２−３３９９３号公報。
【０００８】
【発明が解決しようとする課題】
上記したように、特許文献１に記載の映像記録再生装置では、再生速度が早い場合には文字データの表示量を多くすることにより、ユーザが文字データを認識できるようにしている。
【０００９】
しかしながら、このように多量の文字データを数行にわたって並列表示すると、映像を表示する領域を圧迫してしまう（特許文献１の図４参照）。これを避けるために文字データの表示サイズを小さくすることも考えられるが、結局、ユーザにとって見にくい表示となってしまう。
【００１０】
また、文字データが修飾されて表示されている場合には、再生速度を早くすると、修飾が認識できなくなってしまうことがある。文字の色、フォント、書体等による修飾であれば、上記の表示方法でも認識可能であるが、画面上で文字を移動させたりスクロールさせたりするような修飾には対応できない。
【００１１】
一般的に、文字データに対して行う修飾は、当該コンテンツ製作者が、ユーザに強い印象を与えるために付加しているものであり、ユーザがこれを認識ができなければ、製作者の意図を正確に受け止めることができなくなってしまう。
【００１２】
本発明は、このような実情に鑑みてなされたものであり、デジタルデータを通常より速い速度で再生する場合であっても、文字データに施されている修飾をユーザが認識可能なように再生することを可能にするデジタルデータ再生装置を提供しようとするものである。
【００１３】
【課題を解決するための手段】
上記解決課題に鑑みて鋭意研究の結果、本発明者は、文字データに含まれる文字数及び文字の修飾形態から、当該文字データを表示したときにユーザがこれを認識するのに必要とする表示期間を算出し、デジタルデータ再生装置における現在の再生速度に照らし合わせて当該文字データを当該表示期間以上にわたって表示できるかどうかを判定し、その結果に応じて文字データの表示及び修飾表示の形態を切り替えることにより、再生状況に応じた適切な文字データ表示が行えることに想到した。
【００１４】
すなわち、本発明は、デジタルデータに含まれる文字データの表示制御装置であって、前記文字データの文字数を取得する文字データ抽出部と、前記文字データに設定された表示期間を取得する文字データ管理情報抽出部と、前記文字データを表示するのに必要な表示期間を算出するための判定条件を記憶する判定条件テーブルと、前記デジタルデータの再生速度を取得する手段と、前記文字数と前記判定条件とから算出される前記文字データの必要表示期間、前記設定表示期間、及び前記再生速度に基づいて、前記文字データを表示する形態を判定する文字データ表示判定部と、前記文字データを前記判定された表示形態により表示するよう編成する文字データ編成部と、を備えた表示制御装置を有するデジタルデータ再生装置を提供するものである。
【００１５】
これにより、文字データの文字数、表示期間及び再生速度に基づいて判定される適切な表示形態により文字データを表示することが可能となる。
【００１６】
本発明のデジタルデータ再生装置において、前記文字データ表示判定部は、前記設定表示期間と前記再生速度とから算出される前記文字データの実際の表示期間が、前記必要表示期間に満たない場合には、前記文字データを表示しないよう判定することを特徴とする。
【００１７】
これにより、文字データの文字数に比して再生速度が速くユーザが文字データを認識できないような場合には、文字データの表示を省略することが可能となる。
【００１８】
本発明のデジタルデータ再生装置において、前記文字データ表示判定部は、前記設定表示期間と前記再生速度とから算出される前記文字データの実際の表示期間が、前記必要表示期間に満たない場合には、前記文字データを並列表示するよう判定することを特徴とする。
【００１９】
これにより、文字データの文字数に比して再生速度が速く、文字データを通常法方法で表示してもユーザが認識できないような場合には、（ユーザの要求に応じて）文字データを並列表示するとともに表示期間を延長することにより、ユーザが文字データを認識できるようになる。
【００２０】
本発明のデジタルデータ再生装置において、前記判定条件は、文字データの表示期間と文字数との比であって、表示された文字データをユーザが認識するのに最低限必要となる値であることを特徴とする。
【００２１】
これにより、予め設定しておいたユーザの文字データ認識限界を判定基準として、文字データの表示形態を適切に切り替えることが可能となる。
【００２２】
本発明は、また、前記文字データ抽出部においてはさらに、前記文字データの修飾形態を抽出し、前記判定条件テーブルにおいてはさらに、前記文字データを前記修飾形態により表示するのに必要な表示期間を算出するための修飾表示判定条件を記憶しており、前記文字データ表示判定部においては、前記文字数と前記修飾表示判定条件とから算出される前記文字データの必要表示期間、前記設定表示期間、及び前記再生速度に基づいて、前記文字データを表示する形態を判定することを特徴とする前記デジタルデータ再生装置を提供するものである。
【００２３】
これにより、文字データの文字数及び修飾形態、表示期間及び再生速度に基づいて判定される適切な表示形態により文字データを表示することが可能となる。
【００２４】
本発明のデジタルデータ再生装置において、前記文字データ表示判定部は、前記設定表示期間と前記再生速度とから算出される前記文字データの実際の表示期間が、前記必要表示期間に満たない場合には、前記文字データを修飾表示しないよう判定することを特徴とする。
【００２５】
これにより、文字データの文字数及び修飾形態に比して再生速度が速く、文字データを修飾表示するとユーザが認識できないような場合には、文字データを修飾せず通常の方法で表示することが可能となる。
【００２６】
本発明のデジタルデータ再生装置において、前記文字データ表示判定部は、前記設定表示期間と前記再生速度とから算出される前記文字データの実際の表示期間が、前記必要表示期間に満たない場合には、前記文字データを簡易修飾表示するよう判定することを特徴とする。
【００２７】
これにより、文字データの文字数及び修飾形態に比して再生速度が速く、文字データを修飾表示するとユーザが認識できないような場合には、文字データを簡易に修飾して表示することにより、ユーザが文字データを認識できるようになる。
【００２８】
本発明のデジタルデータ再生装置において、前記修飾表示判定条件は、文字データの文字数と表示期間との比であって、表示された文字データをユーザが認識するのに最低限必要となる値であることを特徴とする。
【００２９】
これにより、文字データの文字数及び修飾形態、表示期間及び再生速度に基づいて判定される適切な表示形態により文字データを表示することが可能となる。
【００３０】
本発明のデジタルデータ再生装置において、前記表示制御装置は、前記文字データの表示を１サンプルごとに制御することを特徴とする。文字データは１サンプルごとに表示画面に表示され、ユーザに認識されるため、その表示形態の制御も１サンプルごとに行うのが効果的である。
【００３１】
本発明のデジタルデータ再生装置において、前記判定条件テーブルは、前記デジタルデータ再生装置において用いられる複数の表示装置（ディスプレイ）のそれぞれについての判定条件又は修飾判定条件を記憶していることを特徴とする。
【００３２】
これにより、本発明のデジタルデータ再生装置に画面サイズや解像度が異なる複数のディスプレイを付け替えて使用する場合にも、それぞれのディスプレイに適合した文字データ表示制御を行うことが可能となる。例えば、それぞれのディスプレイに適合した判定条件又は修飾判定条件をディスプレイＩＤごとに記憶しておくようにすればよい。
【００３３】
本発明のデジタルデータ再生装置は、ユーザの操作を受け付けるユーザ操作入力部をさらに有しており、ユーザは、前記ユーザ操作入力部により、前記判定条件テーブルに記憶されている判定条件又は修飾判定条件を設定すること、並びに、前記文字データ表示判定部による前記文字データの表示形態の判定を操作することが可能であることを特徴とする。
【００３４】
デジタルデータ再生装置において用いるディスプレイの画面サイズや解像度といった条件の他、設置場所や、ユーザの属性・状態、再生コンテンツの内容といった条件によってもユーザの文字データ認識能力は変化し得るため、ユーザ自身がこのような条件に応じて判定条件テーブル及び文字データ表示判定部に対して直接操作を行い、適切な表示形態によりデジタルデータの再生を行わせることができるようにしている。
【００３５】
本発明のデジタルデータ再生装置は、さらに、再生するデジタルデータを記憶しておくためのハードディスク等の内部記憶装置を備えていてもよい。また、ＤＶＤ、ＣＤ、ＭＤ、ＭＯ等の記録媒体に記録されたデジタルデータを読み取り再生するための記録媒体読み取り部を備えていてもよい。あるいは、デジタルデータを含んだデジタル放送を受信するためのチューナ、復調装置等の手段を備えていてもよい。本発明のデジタルデータ再生装置では、これら及び他の様々な媒体からデジタルデータを取得して再生することができる。
【００３６】
本発明のデジタルデータ再生装置は、さらに、前記文字データの表示制御装置から文字データ信号を受信し、該文字データ信号を映像信号に同期させる映像信号処理部をさらに有していることを特徴とする。これにより、上記の処理の施された文字データ信号を適当なタイミングで映像信号に多重させて再生することができる。
【００３７】
本発明は、また、デジタルデータに含まれる文字データの表示制御装置であって、前記文字データの文字数及び修飾形態を取得する文字データ抽出部と、前記文字データに設定された表示期間を取得する文字データ管理情報抽出部と、表示された文字データをユーザが認識可能かどうか判定するための判定条件、及び前記修飾形態により修飾表示された文字データをユーザが認識可能かどうか判定するための修飾表示判定条件を記憶する判定条件テーブルと、前記デジタルデータの再生速度を取得する手段と、前記設定表示期間と前記再生速度とから前記文字データの実際の表示期間を算出するサンプル表示期間計算部と、前記文字数と前記判定条件とから前記文字データの必要表示期間を算出する文字数判定部と、前記文字数と前記修飾表示判定条件とから前記文字データを前記修飾形態により表示する場合の必要修飾表示期間を算出する文字修飾判定部と、前記実際の表示期間、前記必要表示期間及び前記必要修飾表示期間に基づいて、前記文字データを表示する形態を判定する文字データ表示判定部と、前記文字データを前記判定された表示形態により表示するよう編成する文字データ編成部と、を備えた表示制御装置を有するデジタルデータ再生装置を提供するものである。
【００３８】
本発明のデジタルデータ再生装置において、前記文字データ表示判定部は、前記実際の表示期間が前記必要修飾表示期間よりも短い場合には、前記文字データを修飾表示しないよう判定し、前記実際の表示期間が前記必要表示期間よりも短い場合には、前記文字データを表示しないよう判定することを特徴とする。
【００３９】
本発明のデジタルデータ再生装置において、前記文字データ表示判定部は、前記実際の表示期間が前記必要修飾表示期間よりも短い場合には、前記文字データを簡易修飾表示するよう判定し、前記実際の表示期間が前記必要表示期間よりも短い場合には、前記文字データを並列表示するよう判定することを特徴とする。
【００４０】
本発明は、さらに、デジタルデータに含まれる文字データの表示を制御するプログラムであって、前記文字データの文字数及び修飾形態を取得するステップと、前記文字データに設定された表示期間を取得するステップと、表示された文字データをユーザが認識可能かどうか判定するための判定条件、及び前記修飾形態により修飾表示された文字データをユーザが認識可能かどうか判定するための修飾表示判定条件を記憶装置から取得するステップと、前記デジタルデータの再生速度を取得するステップと、前記設定表示期間と前記再生速度とから前記文字データの実際の表示期間を算出するステップと、前記文字数と前記判定条件とから前記文字データの必要表示期間を算出するステップと、前記文字数と前記修飾表示判定条件とから前記文字データを前記修飾形態により表示する場合の必要修飾表示期間を算出するステップと、前記実際の表示期間、前記必要表示期間及び前記必要修飾表示期間に基づいて、前記文字データを表示する形態を判定するステップと、前記文字データを前記判定された表示形態により表示するよう編成するステップと、を含んでなるプログラムを提供するものである。
【００４１】
このようなプログラムをデジタルデータの再生機能を有する様々な形態の機器に実装して利用することができる。
【００４２】
【発明の実施の形態】
以下、添付図面を参照しながら、本発明の実施の形態を詳細に説明する。
図１〜図７は、本発明の各実施形態を例示する図であり、これらの図において、同一の符号を付した部分は同一物を表わし、基本的な構成及び動作は同様であるものとする。
【００４３】
［第１実施形態］
図１は、本発明の第１実施形態にかかるデジタルデータ再生装置の内部構成を概略的に示す機能ブロック図である。
【００４４】
図１において、本実施形態のデジタルデータ再生装置は、デジタル放送用アンテナ１１０、デジタル放送用チューナ１１１、ＯＦＤＭ復調部１１２、記憶部１２０、記録媒体読み取り部１３０、多重分離部１４０、映像信号処理部１４１、音声信号処理部１４２、文字データ信号処理部１４３、ディスプレイ１５１、スピーカ１５２、ユーザ操作入力部１６０及び制御部１７０から構成されている。
【００４５】
デジタル放送用アンテナ１１０、デジタル放送用チューナ１１１及びＯＦＤＭ復調部１１２は、それぞれ、ＢＳデジタル放送や地上デジタル放送などのデジタル放送を受信するための所定の規格に基づいた装置であり、受信したデジタル放送信号をＭＰＥＧ２等所定の形式の放送信号に復調して多重分離部１４０に出力するよう構成されている。
【００４６】
記憶部１２０は、半導体メモリや磁気ディスク等を用いた不揮発性の記憶装置（ハードディスク）であり、デジタルデータ再生装置で再生可能なデジタルデータをＭＰＥＧ２などの所定の形式で記憶しておくことができる。
【００４７】
記録媒体読み取り部１３０は、記録媒体１３１に記録されたデジタルデータを読み取り、ＭＰＥＧ２などの所定の形式に変換して多重分離部１４０に出力することができる。記録媒体１３１は、典型的には、ＣＤ、ＤＶＤ、ＭＯ等の光ディスクやデジタルビデオテープなどを用いることができるが、本実施形態はこれに限定されるものではなく、デジタルデータを記録可能なあらゆる記録媒体を使用することができる。
【００４８】
多重分離部１４０は、所定の規格に従ったデコーダ等を内蔵しており、ＯＦＤＭ復調部１１２、記憶部１２０及び記録媒体読み取り部１３０から受信した再生信号から、映像信号、音声信号及び文字データ信号を分離して取り出し、それぞれを映像信号処理部１４１、音声信号処理部１４２及び文字データ信号処理部１４３に出力する。
【００４９】
映像信号処理部１４１及び音声信号処理部１４２は、それぞれ、多重分離部１４０から受信した映像信号及び音声信号に所定の処理を行った後、それぞれを所定のタイミングでディスプレイ１５１及びスピーカ１５２に出力する。また、再生信号に文字データが含まれている場合には、文字データ信号処理部１４３は分離された文字データ信号に所定の処理を行った後、映像信号処理部１４１に出力する。これを受信した映像信号処理部１４１は、所定のタイミングで文字データ信号を映像信号に多重してディスプレイ１５１に出力する。
【００５０】
ディスプレイ１５１は、ＣＲＴ（Ｃａｔｈｏｄｅ  Ｒａｙ  Ｔｕｂｅ：陰極線管）ディスプレイ、液晶ディスプレイその他の表示装置により構成することができる。スピーカ１５２は、本再生装置と一体形成されたスピーカユニットから構成してもよいし、外部接続するスピーカであってもよい。
【００５１】
ユーザ操作入力部１６０は、再生、停止、早送り再生、巻き戻し再生、チャンネル選局、文字データ表示操作、各種設定操作など、本装置に対するユーザからの様々な操作の入力を受け付けて、制御部１７０に出力するためのインターフェイスを備えている。ユーザ操作入力部１６０は、典型的には、本再生装置の一部表面に設けられた操作パネルとして、あるいは、リモートコントローラ及びこれと無線通信可能な赤外線受信装置として構成することができる。
【００５２】
制御部１７０は、典型的には、ＣＰＵ、ＭＰＵ等の処理演算装置、プログラムを記憶したＲＯＭ及びメモリ等から構成されるマイクロコンピュータであり、予めプログラムされたように動作するものである。制御部１７０は、ＯＦＤＭ復調部１１２、記憶部１２０、記録媒体読み取り部１３０、多重分離部１４０、映像信号処理部１４１、音声信号処理部１４２及び文字データ信号処理部１４３のそれぞれに対して、所定の操作コマンドを送信するなどして動作を制御する。
【００５３】
具体的には、制御部１７０は、映像信号処理部１４１、音声信号処理部１４２及び文字データ信号処理部１４３に対して、各信号の再生同期を制御する。これにより、ディスプレイ１５１及びスピーカ１５２から一体となったコンテンツがユーザに提供される。制御部１７０は、また、後述するように、文字データ信号処理部１４３において文字データ信号に様々な処理を施すよう制御することができる。
【００５４】
制御部１７０は、また、ユーザ操作入力部１６０からのユーザによる操作を受信し、これに基づいて上記各構成部分に対して所定の制御を行うことができる。その他、制御部１７０は、デジタルデータ再生装置の各構成部分に対してデジタルデータの再生を行うのに必要な制御を行うように構成されている。
【００５５】
図２は、図１に示す本実施形態のデジタルデータ再生装置の文字データ信号処理部１４３の内部構成をさらに詳しく示す機能ブロック図である。図中、太字の矢印は、本装置において再生する文字データ信号の伝送経路を示している。
【００５６】
図２において、文字データ信号処理部１４３は、文字データ抽出部２０１と、文字データ管理情報抽出部２０２と、文字データ信号編成部２０３と、文字データ表示判定部２０４と、判定条件テーブル２０５とから構成されている。
【００５７】
文字データ抽出部２０１は、図１に示す多重分離部１４０により分離された文字データ信号を受信し、文字データ信号から文字データを抽出して文字データ表示判定部２０４に出力した後、文字データ信号を文字データ管理情報抽出部２０２に出力する。
【００５８】
ここで、文字データ抽出部２０１において抽出する文字データは、表示する文字、文字数、文字に施された修飾などに関する情報であり、画面上に１度に表示する文字データごとに定義されているものとする。以下、この単位を１サンプルと呼ぶことにする。
【００５９】
尚、本実施形態のデジタルデータ再生装置において表示することができる文字修飾には、文字色の付加、背景色の付加、指定フォントでの表示、拡大・縮小表示、太字体、斜字体等の書体での表示、文字を点滅させて表示するブリンク表示、画面上での文字の移動、文字列を一方向に移動させて表示するスクロール表示（数サンプル分を直列させてスクロール表示することも可能である）、時間経過に合わせて文字色又は背景色を１字ずつ変化させて表示するカラオケ表示などの態様がある。また、これら以外にも様々な態様の文字修飾を行うことが可能である。
【００６０】
文字データ管理情報抽出部２０２は、文字データ抽出部２０１から受信した文字データ信号から文字データ管理情報を抽出して文字データ表示判定部２０４に出力した後、文字データ信号を文字データ信号編成部２０３に出力する。
【００６１】
ここで、文字データ管理情報抽出部２０２において抽出する文字データ管理情報は、文字を画面上に表示する期間、あるいは文字表示の始期及び終期に相当する再生開始時刻及び再生終了時刻などを含んでおり、文字データと同様に、１サンプルごとに定義されているものとする。
【００６２】
文字データ信号編成部２０３は、文字データ管理情報抽出部２０２から受信した文字データ信号に対して、当該文字データをディスプレイで表示可能な形式の信号に変換する処理を行い、図１に示す映像信号処理部１４１に出力する。文字データ信号編成部２０３は、また、文字データ表示判定部２０４からの要求に応じて文字データ信号に対する処理を変更するように構成している。
【００６３】
文字データ表示判定部２０４は、文字データ抽出部２０１から受信した文字データと、文字データ管理情報抽出部２０２から受信したデータ管理情報と、判定条件テーブル２０５から取得する情報とに基づいて、最適な文字データ表示を判定し、そのような表示が行われるよう文字データ信号編成部２０３に要求する。このときの判定条件等については、後に詳しく説明する。
【００６４】
判定条件テーブル２０５は、文字データ表示判定部２０４による上記判定に必要な情報を記憶している。具体的には、ＲＡＭ、ＥＰＲＯＭ、ＥＥＰＲＯＭ等の書き換え可能な半導体メモリにより構成することができる。尚、本装置においては、文字データ信号処理部１４３内に判定条件テーブル２０５を備える構成としているが、本実施形態のデジタルデータ再生装置はこれに限定されるものではなく、例えば、判定条件テーブルを記憶部１２０において備えるような構成にしてもよい。
【００６５】
さらに、図１に示す制御部１７０は、文字データ信号処理部１４３の文字データ表示判定部２０４及び判定条件テーブル２０５に対して所定の制御を行うよう構成している。例えば、ユーザ操作入力部１６０から受信した各種操作及び設定変更を本装置に反映するために必要な制御を行うものとする。
【００６６】
図３〜図５は、判定条件テーブル２０５に記憶されているデータの構成を概念的なテーブルとして示す図である。
【００６７】
図３に示すディスプレイ情報テーブルは、本装置において用いるディスプレイ１５１の表示画面部に関する情報を含んでいる。具体的には、ディスプレイの形態、表示方式、表示画面のサイズ、解像度、画素数などの情報を含んでいる。また、ディスプレイ情報テーブルは、複数のディスプレイに関する情報を含んでおり、これらの情報に各ディスプレイを一意的に識別可能なディスプレイＩＤを付して管理している。
【００６８】
本実施形態のデジタルデータ再生装置において、ディスプレイ１５１は着脱自在なディスプレイとすることができ、この場合には、複数のディスプレイを随時接続し替えて使用することが考えられる。このような場合には、ディスプレイ情報テーブルにおいてそれぞれのディスプレイの情報を個別に格納しておくことにより、それぞれに応じた文字データ表示を行うよう文字データ信号処理部において処理することが可能となる。
【００６９】
図４に示す文字数判定条件テーブルは、本実施形態のデジタルデータ再生装置において用いる各ディスプレイの表示画面上で文字データを表示する場合のユーザの認識限界を記憶している。ここで、この認識限界とは、ユーザがその文字データを認識するのに最低限必要な時間を文字単位で想定して定められるものである。すなわち、表示画面上に１サンプルの字幕が表示されたときに、ユーザがこの字幕を読んで理解するのに必要とする最低限の時間を想定して定めている。図４に示す例では、例えば、ＩＤ００１のディスプレイにおいて、１サンプル１０文字の字幕は少なくとも５秒間表示する必要があることが分かる。
【００７０】
図５に示す文字修飾判定条件テーブルは、本実施形態のデジタルデータ再生装置において各ディスプレイの表示画面上で文字を修飾して表示するときの、単位時間あたりの表示文字数を記憶している。ここで、この一定期間とは、ユーザがその修飾された文字を認識するのに必要な時間を想定して定められるものである。
【００７１】
表示する文字の修飾方法は文字を読みやすくするものから読みにくくするものまで様々である。例えば、コンテンツの再生進度に合わせて文字色等を変化させるカラオケ表示や字幕を単語ごとに色分けして表示するような修飾方法では、ユーザは通常の文字表示よりも速く文字を読むことができると考えられる。但し、カラオケ表示では音声の再生とタイミングを合わせて用いることが多いので、必ずしも通常の文字表示より表示速度が速くなるとは限らない。
【００７２】
一方で、文字を点滅させるブリンク表示や文字を画面上で移動させるような修飾方法では、ユーザは通常の文字表示に比べて文字を読むのに時間が長くかかると考えられる。このため、通常の文字表示よりも長い表示期間を設定するのが好ましい。
【００７３】
尚、本実施形態において、これら各テーブルに記憶されている各ディスプレイに関する情報は、ユーザ操作入力部１６０によりユーザが入力するようにしてもよいが、デジタルデータ再生装置にディスプレイを接続したときに、当該ディスプレイを自動的に検出し当該ディスプレイの設定情報を自動的に取得するように構成するのが好ましい（いわゆるプラグアンドプレイ機能）。あるいは、記録媒体１３１に記録してある当該ディスプレイのドライバファイルを記録媒体読み取り部１３０において読み込んで、判定条件テーブル２０５に格納するようにしてもよいし、記憶部１２０に予め一般的な規格のディスプレイについての設定情報を記憶しておくようにしてもよい。
【００７４】
また、本実施形態では、図３〜図５に示すように、判定条件テーブル２０５に含まれる情報をディスプレイ情報テーブル、文字数判定条件テーブル及び文字修飾判定テーブルに分離する構成としているが、これらを単一のテーブルとして構成してもよい。
【００７５】
また、１つのディスプレイで複数の解像度に切り替えて使用できる場合には、各解像度ごとにディスプレイ情報、文字数判定条件及び文字修飾判定条件の設定を格納しておくものとする。
【００７６】
さらに、判定条件テーブル２０５に含まれる情報は、映像信号処理部１４１によっても利用できるようにしておくのが好ましい。
【００７７】
次に、上記のように構成された本実施形態のデジタルデータ再生装置の動作について説明する。尚、デジタルデータの再生、早送り再生、巻き戻し再生、コマ送り再生等を通常に行う動作については、従来のデジタルデータ再生装置における動作と同様であるので、ここでは説明を省略する。
【００７８】
以下に、本実施形態のデジタルデータ再生装置において、デジタルデータの再生速度に応じて、文字データ信号に所定の処理をして表示する動作について説明する。図６は、本装置の文字データ信号処理部１４３における動作の一例を示すフローチャートである。
【００７９】
本実施形態のデジタルデータ再生装置においてデジタルデータの再生を開始すると、文字データ信号処理部１４３は、まず、多重分離部１４０から文字データ信号を受信する（ステップＳ６０１）。文字データ信号処理部１４３は、文字データ抽出部２０１により文字データ信号から文字データを抽出し（ステップＳ６０２）、文字データ管理情報抽出部２０２により文字データ信号から文字データ管理情報を抽出する（ステップＳ６０３）。抽出された文字データ及び文字データ管理情報は文字データ表示判定部２０４に出力される。
【００８０】
本実施形態では、文字データ信号処理部１４３は、文字データ及び文字データ管理情報を１サンプルごとに処理して出力するよう構成している。１サンプル分の文字データは、通常、デジタルデータの複数パケットにわたって含まれているので、文字データ表示判定部２０４では、文字データ表示判定部２０４では、１サンプル分の文字データ及び文字データ管理情報が蓄積されるまで処理を待つこととする（ステップＳ６０４）。また、文字データ信号編成部２０３においても、１サンプル分の文字データを蓄積して、１サンプル単位で編成処理を行い出力するものとする。
【００８１】
文字データ表示判定部２０４において１サンプル分の文字データ及び文字データ管理情報が蓄積されると、文字データ表示判定部２０４は、判定条件テーブル２０５にアクセスして、デジタルデータ再生装置において現在使用しているディスプレイ１５１についての文字数判定条件及び文字修飾判定条件を取得する（ステップＳ６０５）。
【００８２】
文字データ表示判定部２０４は、さらに、現在の再生状態を取得する（ステップＳ６０６）。ここで、現在の再生状態とは、デジタルデータ再生装置に設定されているデジタルデータの再生速度、再生モードなどであり、これらはユーザがユーザ操作入力部１６０により任意に設定できるものである。再生速度は、通常は、２倍速、３倍速、…、と早送り又は巻き戻しとの組み合わせで定義されるものである。また、再生モードには、例えば、文字データを表示する／しないモード、文字修飾を表示する／しないモードなどが含まれるものとする。この再生状態の設定は、制御部１７０、記憶部１２０又は文字データ表示判定部２０４のいずれかに記憶しておくことができる。
【００８３】
続いて、文字データ表示判定部２０４は、これらの情報に基づいて当該サンプルの文字データの表示形態を判定する。以下の説明において、単に文字データと記載しているものは、任意の１サンプル分の文字データであるものとする。
【００８４】
文字データ表示判定部２０４は、まず、文字データを装飾表示した場合にユーザが認識可能かどうかを、文字データに含まれている文字数と、文字データ管理情報と、文字修飾判定条件と、現在の再生速度とに基づいて判定する（ステップＳ６０７）。
【００８５】
ここで、文字修飾判定条件は、図５に例示するように、文字データを各種修飾表示した場合にユーザが１秒間に認識可能な文字数［文字／秒］を定めているものである。文字データ表示判定部２０４は、文字データの文字数を、文字データに施されている修飾表示の認識可能文字数［文字／秒］で割ることにより、修飾表示された文字データをユーザが認識するのに必要となる最低限の表示期間［秒］（＝Ｔ１とする）を得ることができる。
【００８６】
また、文字データ表示判定部２０４は、文字データ管理情報に含まれる再生開始時刻と再生終了時刻とから、文字データを通常の再生速度で再生した場合の再生時間を求めることができる。通常の再生速度で再生する場合であれば、この求めた再生時間が、文字データが実際に表示画面に表示される期間である。一方、再生速度が通常と異なる場合には、文字データが実際に表示画面に表示される期間（＝Ｔ２とする）はこれと異なってくる。例えば、文字データの通常の再生時間が６秒であり、現在の再生速度が３倍速である場合には、実際の表示期間は２秒ということになる。
【００８７】
したがって、ユーザが修飾表示された文字データを認識できるかどうかは、この実際の表示期間Ｔ２に基づいて判定しなければならない。すなわち、文字データ表示判定部２０４は、上記修飾された文字データの認識に必要な表示期間Ｔ１［秒］と、それが実際に表示される期間Ｔ２［秒］とを比較し、Ｔ１≦Ｔ２であればユーザはこれを認識可能であると判断し、Ｔ１＞Ｔ２であれば認識不可能であると判断する。
【００８８】
ステップＳ６０７において、文字データ表示判定部２０４が認識可能と判定した場合には、文字データ信号編成部２０３において、文字データを通常に修飾するよう処理する（ステップＳ６０８）。ステップＳ６０７において、文字データ表示判定部２０４が認識不可能と判定した場合には、文字データの修飾については、以下の複数パターンの処理（ここでは、ステップＳ６０９〜Ｓ６１０）のうちいずれかを行う。
【００８９】
第１のパターンでは、文字データを修飾表示してもユーザが認識できないので、修飾表示しないように処理を行う（ステップＳ６０９）。すなわち、文字データ表示判定部２０４は、文字データ信号編成部２０３において文字データ信号に修飾表示の処理を行わないように制御する。
【００９０】
第２のパターンでは、文字データの修飾表示をユーザが認識できる程度に簡易化する処理を行う（ステップＳ６１０）。例えば、ブリンク表示の場合には、点滅する周期を長くすればユーザが文字データを認識しやすくなるし、スクロール表示の場合には、後述する並列表示を行うように処理してもよい。また、文字データを拡大・縮小したり画面上で移動させたりする修飾については、その動作を簡略化させることや拡大・縮小比率及び移動量を低減することにより、ユーザが文字データを認識しやすくなる。
【００９１】
尚、ステップＳ６０７において、文字データ表示判定部２０４が認識不可能と判定した場合であっても、ステップＳ６０８に処理を進めて通常に修飾するように設定してもよい。
【００９２】
上記の各パターンのうちどの処理を行うかにいついては、予め設定されデジタルデータ再生装置において記憶されているものとし、ユーザはユーザ操作入力部１６０によりこの設定を任意に変更することができるものとする。
【００９３】
文字データ表示判定部２０４は、さらに、表示される文字データの全文字をユーザが認識可能かどうかを、文字データの文字数と、文字データ管理情報と、文字数判定条件と、現在の再生速度とに基づいて判定する（ステップＳ６１１）。
【００９４】
ここで、文字数判定条件は、図４に例示するように、通常の状態で表示された文字データをユーザが認識するのに最低限必要な時間［秒］を１文字単位で定めているものである。文字データ表示判定部２０４は、この必要表示期間［秒／文字］に文字データの文字数を掛けることにより、ユーザが表示されている文字データを全部認識するのに必要な表示期間［秒］（＝Ｔ３とする）を得ることができる。
【００９５】
文字データ表示判定部２０４は、上記同様、上記ステップＳ６０７において求めた文字データの実際の表示期間Ｔ２に基づいて、ユーザが表示された文字データを全部認識できるかどうか判定する。すなわち、文字データ表示判定部２０４は、文字データの認識に必要な表示期間Ｔ３［秒］と、文字データの実際の表示期間Ｔ２［秒］とを比較し、Ｔ３≦Ｔ２であればユーザはこれを認識可能であると判断し、Ｔ１＞Ｔ３であれば認識不可能であると判断する。
【００９６】
ステップＳ６１１において、文字データ表示判定部２０４が認識可能と判定した場合には、文字データ信号編成部２０３において、文字データを通常に表示するよう処理する（ステップＳ６１２）。ステップＳ６１１において、文字データ表示判定部２０４が認識不可能と判定した場合には、予め定められた数パターンの処理（ここでは、ステップＳ６１３〜Ｓ６１４）のうち設定されているものを行うようになっている。
【００９７】
第１のパターンでは、文字データを表示してもユーザはその全部を認識できないので、文字データを表示しないように処理を行う（ステップＳ６１３）。すなわち、文字データ表示判定部２０４は、文字データ信号編成部２０３において文字データ信号を映像信号処理部１４１に出力しないように制御する。
【００９８】
第２のパターンでは、ユーザが文字データを認識できるように、画面上に文字データを数行にわたって並列表示するとともに、表示期間を延長する（ステップＳ６１４）。例えば、画面上に２サンプル分の文字データを並列表示することにより、それぞれの表示期間を２倍にすることが可能である。この処理を行うには、例えば、文字データ信号編成部２０３において文字データの表示位置を並列表示ができるように調整するとともに、当該サンプルに含まれる文字データを、当該サンプル及びその次のサンプルの表示期間において継続して表示するように処理すればよい。
【００９９】
尚、ステップＳ６１１において、文字データ表示判定部２０４が認識不可能と判定した場合であっても、ステップＳ６１２に処理を進めて文字データを通常に表示するように設定してもよい。ユーザが表示された文字データを一部でも認識できればよい場合などには、このような設定を行うことができる。
【０１００】
上記ステップＳ６１２、Ｓ６１３又はＳ６１４の処理を行うことにより、１サンプル分の文字データ信号を映像信号処理部１４１に出力する動作が完了する。文字データ信号処理部１４３は、次の１サンプルの文字データ信号を受信する動作に移行する。
【０１０１】
尚、図６に示すフローチャートにおいて、ステップＳ６０２及びＳ６０３の処理の順序は任意である。また、ステップＳ６０５及びＳ６０６の処理の順序も任意であり、ステップＳ６０６の処理については、ステップＳ６０４以前に行うように構成してもよい。
【０１０２】
［第２実施形態］
本発明の第２実施形態にかかるデジタルデータ再生装置について説明する。第２実施形態のデジタルデータ再生装置は、文字データ信号処理部以外においては、図１に示すものと同様に構成されているため、同様の構成部分については説明を省略する。
【０１０３】
図７は、本実施形態のデジタルデータ再生装置に含まれる文字データ信号処理部の内部構成を概略的に示す機能ブロック図である。
【０１０４】
図７において、本実施形態の文字データ信号処理部は、文字データ抽出部２０１と、文字データ管理情報抽出部２０２と、文字データ信号編成部２０３と、判定条件テーブル２０５と、文字データ表示判定部７０１と、サンプル表示期間計算部７０２と、文字数判定部７０３と、文字修飾判定部７０４とから構成されている。
【０１０５】
本実施形態の文字データ信号処理部において、文字データ抽出部２０１、文字データ管理情報抽出部２０２及び文字データ信号編成部２０３は、図２に示す第１実施形態のものと同様に構成されており、同様に機能するものとする。判定条件テーブル２０５もまた、第１実施形態のものと同様であり、図３〜図５に示すテーブル構成を含んでいるものとする。
【０１０６】
サンプル表示期間計算部７０２は、文字データ管理情報抽出部２０２から抽出した文字データ（１サンプル分、以下同様）の再生開始時刻と再生終了時刻とから、文字データの通常再生時における表示期間を求める。また、一方で、デジタルデータ再生装置における現在の再生速度を取得しており、上記文字データの通常再生時における表示期間と現在の再生速度とから、文字データの実際の表示期間を求める。例えば、現在の再生速度が２倍速であれば、文字データの実際の表示期間は、通常再生時における表示期間の１／２となる。サンプル表示期間計算部７０２は、こうして求めた文字データの実際の表示期間を文字データ表示判定部７０１に出力する。
【０１０７】
文字数判定部７０３は、文字データ抽出部２０１から抽出した文字データに含まれる文字数を求める。また、一方で、判定条件テーブル２０５にアクセスし、デジタルデータ再生装置において現在使用しているディスプレイ１５１の種類に応じた文字数判定条件を取得する。文字数判定部７０３は、上記文字数判定条件に上記文字データの文字数を掛けることにより、文字データの必要表示期間を算出し、これを文字データ表示判定部７０１に出力する。
【０１０８】
文字修飾判定部７０４は、文字データ抽出部２０１から抽出した文字データに含まれる文字数を求め、文字データに施されている修飾を判別する。また、一方で、判定条件テーブル２０５にアクセスし、ディスプレイ１５１の種類に応じた当該修飾にかかる文字修飾判定条件を取得する。文字修飾判定部７０４は、上記文字データの文字数と文字修飾判定条件とから文字データを修飾表示するのに必要な期間を算出し、これを文字データ表示判定部７０１に出力する。
【０１０９】
例えば、文字データにスクロール表示の修飾が施されている場合には、図５に示す文字修飾判定条件テーブルからスクロール表示のユーザ認識限界が４文字／１秒であるから、文字データの文字数が１２文字であるとすると、この文字データを修飾表示するのに必要な表示期間は３秒となる。尚、文字データに複数の修飾が施されている場合には、それらの必要表示期間のうち最長のものを文字データ表示判定部７０１に出力する。
【０１１０】
文字データ表示判定部７０１は、サンプル表示期間計算部７０２から受信した文字データの実際の表示期間、文字数判定部７０３から受信した文字データの必要表示期間、及び文字修飾判定部７０４から受信した文字データ修飾表示の必要表示期間に基づいて、文字データの表示画面上での表示形態を判定する。
【０１１１】
具体的には、通常に近い再生速度であれば、文字データの実際の表示期間が、文字データ表示及び文字データ修飾表示の必要期間よりも長いので、通常通り、文字データを装飾して表示する。より早い再生速度（２〜３倍速程度）では、修飾表示を行わず文字データのみを通常に表示するか、あるいは修飾を簡易表示する。さらに早い再生速度（４〜８倍速程度）になると、ユーザは文字データの認識が困難となるため、文字データ表示を行わないか、あるいは並列表示等を行う。
【０１１２】
尚、本実施形態のデジタルデータ再生装置において、それぞれの再生速度に応じた文字データの表示形態は、ユーザが任意に設定できるものとする。
【０１１３】
上記において説明したように、本発明の各実施形態のデジタルデータ再生装置によれば、デジタルデータ再生装置の現在の再生速度に応じて、文字データの表示及び修飾表示をユーザが認識可能かどうかを判定することができ、この判定に従って文字データを適切な表示形態で表示させることができる。
【０１１４】
以上、本発明のデジタルデータ再生装置について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【０１１５】
【発明の効果】
以上、説明したように、本発明のデジタルデータ再生装置によれば、様々な再生速度に対応して、文字データの表示及び修飾表示の形態を切り替えることが可能であり、ユーザにとっては利便性の高いデジタルデータ再生装置が提供される。
【図面の簡単な説明】
【図１】本発明の第１実施形態にかかるデジタルデータ再生装置の内部構成を概略的に示す機能ブロック図である。
【図２】図１に示すデジタルデータ再生装置の文字データ信号処理部１４３の内部構成をさらに詳しく示す機能ブロック図である。
【図３】判定条件テーブル２０５に記憶されているディスプレイ情報テーブルの構成を概念的に示す図である。
【図４】判定条件テーブル２０５に記憶されている文字数判定条件テーブルの構成を概念的に示す図である。
【図５】判定条件テーブル２０５に記憶されている文字修飾判定テーブルの構成を概念的に示す図である。
【図６】図１に示すデジタルデータ再生装置の文字データ信号処理部１４３における動作の一例を示すフローチャートである。
【図７】本発明の第２実施形態にかかるデジタルデータ再生装置に含まれる文字データ信号処理部の内部構成を概略的に示す機能ブロック図である。
【符号の説明】
１１０    デジタル放送用アンテナ
１１１    デジタル放送用チューナ
１１２    ＯＦＤＭ復調部
１２０    記憶部
１３０    記録媒体読み取り部
１３１    記録媒体
１４０    多重分離部
１４１    映像信号処理部
１４２    音声信号処理部
１４３    文字データ信号処理部
１５１    ディスプレイ
１５２    スピーカ
１６０    ユーザ操作入力部
１７０    制御部
２０１    文字データ抽出部
２０２    文字データ管理情報抽出部
２０３    文字データ信号編成部
２０４    文字データ表示判定部
２０５    判定条件テーブル
７０１    文字データ表示判定部
７０２    サンプル表示期間計算部
７０３    文字数判定部
７０４    文字修飾判定部
【図１】
2004289277.tif 000003
【図２】
2004289277.tif 000004
【図３】
2004289277.tif 000005
【図４】
2004289277.tif 000006
【図５】
2004289277.tif 000007
【図６】
2004289277.tif 000008
【図７】
2004289277.tif 000009